(57)【要約】【課題】現在国内で使用されている建枠、交差筋交い更にはアームロックを変更することなくそのまま使用することができながら、足場板上から手摺りまでの高さを４００ｍｍ以下にすることができる補助手摺り取付金具を提供する。【解決手段】前板部６と左右両側板部７，７とで建枠１の支柱１ａに嵌合するコ字枠状に形成すると共に、前板部６の上部に吊り板部８を設けてなる金具本体９を有し、この金具本体９の吊り板部８には、支柱１ａに設けられた交差筋交い取付用グラビティロック２５に挿通するピン孔１０を設け、前板部６には、補助手摺り４の端部４ａに設けたピン孔１２を挿通させる補助手摺り取付用グラビティロック１１を突設してなり、吊り板部８のピン孔１０を交差筋交い取付用グラビティロック２５に挿通させて吊り下げた状態で金具本体９を支柱１ａに嵌合させるようにした。【選択図】図３
2010242404.tif 000002
【特許請求の範囲】
【請求項１】
枠組足場の建枠の支柱間に架け渡される交差筋交いの下方で棒状の補助手摺りを支柱間に水平に架け渡すにあたりその補助手摺りを取り付けるための補助手摺り取付金具であって、前板部と後板部と前後板部をつなぐ側板部とで前記支柱に嵌合するコ字枠状に形成すると共に、前板部の上部に吊り板部を連設してなる金具本体を有し、金具本体の吊り板部には前記支柱に設けられた交差筋交い取付用グラビティロックに挿通するピン孔を設け、前板部には、補助手摺りの端部のピン孔を挿通させる補助手摺り取付用グラビティロックを突設してなり、吊り板部のピン孔を交差筋交い取付用グラビティロックに挿通させて吊り下げた状態で金具本体を支柱に対し枠組足場の足場板長手方向から嵌合させるようにした補助手摺り取付金具。
【請求項２】
枠組足場の建枠の支柱間に架け渡される交差筋交いの下方で棒状の補助手摺りを支柱間に水平に架け渡すにあたりその補助手摺りを取り付けるための補助手摺り取付金具であって、前板部と後板部と前後板部をつなぐ側板部とで前記支柱に嵌合するコ字枠状に形成すると共に、前板部の上部に吊り板部を連設してなる金具本体を有し、金具本体の吊り板部には前記支柱に設けられた交差筋交い取付用グラビティロックに挿通するピン孔を設け、前板部には、補助手摺りの端部のピン孔が挿通させる補助手摺り取付用グラビティロックを突設すると共に、吊り板部の上端部及び前板部の下端部には、支柱の前面に支持させて吊り板部及び前板部を支柱前面から所要高さ浮かすための脚部を設けてなり、予め交差筋交いの端部が挿着された交差筋交い取付用グラビティロックに吊り板部のピン孔を挿通させて吊り下げた状態で金具本体を支柱に対し枠組足場の足場板長手方向から嵌合させるようにした補助手摺り取付金具。
【請求項３】
前記金具本体には金具本体を前記支柱に固定するための固定用板バネを取り付けられ、この固定用板バネは、支柱の外周面を弾接抱持する湾曲部を有する請求項１又は２に記載の補助手摺り取付金具。
【発明の詳細な説明】
【技術分野】
【０００１】
本発明は、枠組足場の建枠の支柱間に架け渡される交差筋交いの下方で棒状の補助手摺りを支柱間に水平に架け渡すにあたって、その補助手摺りを取り付けるための補助手摺り取付金具に関する。
【背景技術】
【０００２】
建築現場で仮設される枠組足場においては、図９の(a) に示すように、足場板３の長手方向両サイドに沿った建枠１，１間に一対の筋交い材２ａ，２ａからなるＸ形の交差筋交い２が張架されているため、この交差筋交い２が安全柵となって、足場板３を渡る作業者の安全を図ることができる。ところが、このような交差筋交い２は、同図から分かるように、その下部側が足場板３との間で略三角形に開口された状態となっているため、作業者が足場板３の上で中腰で作業をするような場合に、上記三角形の開口部から過って墜落する危険性があった。そこで、このような危険を防止するために、交差筋交い２の下部側三角形開口部を形成する筋違材２ａ，２ａに棒状の補助手摺り２４を水平に架け渡すようにしている。尚、建枠１は、両側一対の支柱１ａ，１ａと両支柱１ａ，１ａをつなぐ横材１ｂとによって門形に形成されたもので、隣り合う建枠１，１の対向する横材１ｂ，１ｂ間に足場板３が架け渡される。
【０００３】
上記従来の補助手摺り２４は、例えば特許文献１に記載されているが、図９の(b) に概略示すように、１本の棒状手摺り本体からなるもので、この棒状手摺り本体の両端部の夫々には、筋交い材２ａの上側面部に掛合する第１フック２１と、この第１フック２１よりも外端寄りに位置して筋交い材２ａの下側面部に掛合する第２フック２２とが設けられ、手摺り本体の一端部側の両フック２１，２２間に、手摺り本体が筋交い材２ａと平行に位置した状態で両フック２１，２２が同時に筋交い材２ａに嵌め込み可能な開口部（図示省略）が形成され、手摺り本体の他端部側の第２フック２２は、基軸部が手摺り本体に回転可能で上下動可能に軸支されると共に、常時はバネによって上向きに付勢されている。
【０００４】
この補助手摺り２４を交差筋交い２に装着する時は、フック２１，２２間に嵌め込み用開口部が形成される手摺り本体の一端部側を一方の筋交い材２ａの下手側に位置させた状態で手摺り本体を平行に位置させて、この一端部側の第１フック２１と第２フック２２とを一方の筋交い材２ａに嵌め込んだ後、手摺り本体を水平にして、この手摺り本体の他端部側の第１フック２１を他方の筋交い材２ａに嵌め込むと共に、その第２フック２２を他方の筋交い材２ａに嵌め込むことにより、補助手摺り２４は、図９の(b) に示すような取付状態となる。
【先行技術文献】
【特許文献】
【０００５】
【特許文献１】特開平１０−３３１４１３号公報
【発明の概要】
【発明が解決しようとする課題】
【０００６】
ところで、この度、労働安全衛生法に基づく安全基準の改定があって、枠組足場の足場板から補助手摺りまでの高さが、これまでの５００ｍｍ以下から、４００ｍｍ以下に制限されることになった。図９の(b) に示す従来の補助手摺り２４は、足場板３からの高さが５００ｍｍ以下の安全基準に基づいて製作されたもので、図示のように取り付けられた状態で足場板３の上面からの高さＨｂは４５０ｍｍ前後となっていて、新しい安全基準高さＨｓの４００ｍｍより高くなる。また足場板３の上面から、建枠１の支柱１ａに止着されている筋交い材２ａの下端止着部である交差筋交い取付用グラビティロック２５までの高さｈが３２９ｍｍであることから、補助手摺り２４の両端部を筋交い材材２ａ，２ａの下端側に出来るだけ近づくように取り付けても、この補助手摺り２４の取付構造では、足場板３上面からの高さを、新しい安全基準高さＨｓである４００ｍｍ以下にすることができない。
【０００７】
そこで、考えられることは、対向する建枠１，１の支柱１ａ，１ａ間の長さに相当する長さを有する補助手摺りの両端部を、支柱１ａ，１ａに夫々設けてある交差筋交い取付用グラビティロック２５，２５に挿着（ピン孔を挿通して取り付ける）するようにすることである。ところが、現在使われている汎用の交差筋交い取付用グラビティロック２５は、図１０の(a) に示すように、ピン２５ａの有効長さＬｅが１８ｍｍしかないから、両側の交差筋交い２，２の筋交い材材２ａ，２ａの端部を重ねて挿着し、更にアームロック２６の端部を挿着すると、補助手摺りの端部を挿着することができなくなる。図１０の(a) において、ｗはピン２５ａの基端部の溶接部の厚みを示す。
【０００８】
尚、アームロック２６は、図１１に示すように、下段側建枠１の支柱１ａの上端部に上段側建枠１の支柱１ａの下端部を連結する時にその連結端部どうしをロックするのに使用され、帯状の金属板で弓形状に形成され、その上下両端部にピン孔が設けられたもので、下端部側のピン孔を、下段側支柱１ａの上端部と上段側支柱１ａの下端部とを貫通する連結ピン３０に挿着し、上端部側のピン孔を、上段側支柱１ａに設けてある交差筋交い取付用グラビティロック２５に対し、両側の交差筋交い２，２の筋交い材材２ａ，２ａの端部と共に重ねて挿着するようになっている。
【０００９】
即ち、現在使用されている典型的な交差筋交い取付用グラビティロック２５は、図１０の(a) に示すように、ピン２５ａを支柱１ａの側面に直角に配して溶接により固着したもので、ピン２５ａの先端側に割溝２５ｃを設け、この割溝２５ｃ内にロック片２５ｂの一端部側を枢軸２５ｄによって枢着し、常時は図１０の(a) ，(b) の実線図示のように自重でピン２５ａと垂直な姿勢に保持され、交差筋交い２の筋交い材２ａの端部２ａｏを挿着する時はロック片２５ｂを手で同図の仮想線図示のように水平姿勢にさせるようになっており、そして各筋交い材２ａの端部厚みは５ｍｍ、アームロック２６の端部厚みは３ｍｍであり、また補助手摺りとして交差筋交い２の筋交い材２ａと同じものを使用する場合には、その端部４ａｏの厚みは５ｍｍであるから、図１０の(b) に示すように、ピン２５ａに、両側の交差筋交い２，２の筋交い材材２ａ，２ａの端部２ａｏ，２ａｏとアームロック２６の端部と両側の補助手摺り４，４の端部４ａｏ，４ａｏとを挿着しようとすると、これら端部全体の厚みＷｔが２３ｍｍとなって、ピン２５ａの有効長さＬｅの１８ｍｍをオーバーしてしまい、図１０の(b) から分かるようにロック片２５ｂをロック位置に回転させることができないため、補助手摺り４を取り付けることができなくなる。
【００１０】
本発明は、上記のような事情に鑑み、現在国内で使用されている上述したような建枠、交差筋交い更にはアームロックを変更することなくそのまま使用することができながら、足場板上から手摺りまでの高さを４００ｍｍ以下にすることができるようにした補助手摺り取付金具を提供することを目的とする。
【課題を解決するための手段】
【００１１】
上記課題を解決するための手段を、後述する実施形態の参照符号を付して説明すると、請求項１に係る発明は、枠組足場の建枠１，１の支柱１ａ，１ａ間に架け渡される交差筋交い２の下方で棒状の補助手摺り４を支柱１ａ，１ａ間に水平に架け渡すにあたりその補助手摺り４を取り付けるための補助手摺り取付金具５Ａであって、前板部６と後板部７と前後板部６，７をつなぐ側板部２７とで前記支柱１ａに嵌合するコ字枠状に形成すると共に、前板部６の上部に吊り板部８を連設してなる金具本体９を有し、金具本体９の吊り板部８には前記支柱１ａに設けられた交差筋交い取付用グラビティロック２５に挿通するピン孔１０を設け、前板部６には、補助手摺り４の端部４ａのピン孔１２を挿通させる補助手摺り取付用グラビティロック１１を突設してなり、吊り板部８のピン孔１０を交差筋交い取付用グラビティロック２５に挿通させて吊り下げた状態で金具本体９を支柱１ａに対し枠組足場の足場板３長手方向から嵌合させるようにしたことを特徴とする。
【００１２】
請求項２に係る発明は、枠組足場の建枠１，１の支柱１ａ，１ａ間に架け渡される交差筋交い２の下方で棒状の補助手摺り４を支柱１ａ，１ａ間に水平に架け渡すにあたりその補助手摺り４を取り付けるための補助手摺り取付金具５Ｂであって、前板部６と後板部７と前後板部６，７をつなぐ側板部２７とで前記支柱１ａに嵌合するコ字枠状に形成すると共に、前板部６の上部に吊り板部８を連設してなる金具本体９を有し、金具本体９の吊り板部８には前記支柱１ａに設けられた交差筋交い取付用グラビティロック２５に挿通するピン孔１０を設け、前板部６には補助手摺り４の端部４ａのピン孔１２が挿通する補助手摺り取付用グラビティロック１１を突設すると共に、吊り板部８の上端部及び前板部６の下端部には、支柱１ａの側面に支持させて吊り板部８及び前板部６を支柱１ａ前面から所要高さ浮かすための脚部１５，１６を設けてなり、予め交差筋交い２が挿着された交差筋交い取付用グラビティロック２５に吊り板部８のピン孔１０を挿通させて吊り下げた状態で金具本体９を支柱１ａに対し足場板３長手方向から嵌合させるようにしたことを特徴とする。
【００１３】
請求項３は、請求項１又は２に記載の補助手摺り取付金具において、前記金具本体９には金具本体９を前記支柱１ａに固定するための固定用板バネ１３が取り付けられ、この固定用板バネ１３は、支柱１ａの外周面を弾接抱持する抱持部１３ａを有することを特徴とする。
【発明の効果】
【００１４】
上記解決手段による発明の効果を、後述する実施形態の参照符号を付して説明すると、請求項１に係る発明の補助手摺り取付金具５Ａは、支柱１ａの交差筋交い取付用グラビティロック２５に金具本体９の吊り板部８を介して吊り下げた状態で取り付けるようにしたもので、この取付金具５Ｂの補助手摺り取付用グラビティロック１１に両補助手摺り４，４の端部４ａ，４ａをそのピン孔１２，１２を介して挿通させることにより、補助手摺り４を隣り合う支柱１ａ，１ａ間に水平に架け渡すようになっているから、補助手摺り４を、支柱１ａの下端部側にある交差筋交い取付用グラビティロック２５よりも下方位置に取り付けることができ、それにより枠組足場の足場板３お上面から補助手摺り４までの高さＨａを４００ｍｍ以下にすることが可能となる。
【００１５】
またこのような補助手摺り取付金具５Ａを使用することによって、現在国内で使用されている建枠、交差筋交い、補助手摺り、アームロックを改造・変更するようなことなく、これらをそのまま使用することができる。また、この補助手摺り取付金具５Ａは、交差筋交い２を建枠１の支柱１ａに取り付ける前に、支柱１ａ及び交差筋交い取付用グラビティロック２５に予め取り付けておくことができる。
【００１６】
そしてまた、この補助手摺り取付金具５Ａによれば、コ字枠状の金具本体９を支柱１ａに対し枠組足場の足場板長手方向から支柱１ａに嵌合させて取り付けるようになっているから、例えば作業中に作業者が枠組足場の足場板３から落下しそうになって、作業者に繋がれている安全ロープの引張力で補助手摺り４が足場の内向き方向（足場板の長手方向と直交する内向き方向）に引っ張られる状態となっても、金具本体９が支柱１ａから外れることがなく、従って補助手摺り４は外れず、作業者の安全が確保される。因みに、コ字枠状の金具本体９が支柱１ａに対して足場板長手方向と直交する方向、特に足場板の内から外へ向かう方向に嵌合させるようになっておれば、上記のような事態が発生した場合は金具本体９が支柱１ａから外れる危険性がある。
【００１７】
請求項２に係る発明の補助手摺り取付金具５Ｂは、前板部６と左右両側板部７，７とでコ字枠状に形成すると共に、前板部６上部に吊り板部８を設けてなる金具本体９を有し、金具本体９の吊り板部８には、支柱１ａの交差筋交い取付用グラビティロック２５に挿通するピン孔１０を設け、前板部６には補助手摺り４の端部４ａに設けたピン孔１２が挿通する補助手摺り取付用グラビティロック１１を突設すると共に、吊り板部８の上端部及び前板部６の下端部には、支柱１ａの側面に支持させて吊り板部８及び前板部６を支柱１ａ側面から所要高さ浮かすための脚部１５，１６を設けてなるもので、請求項１の補助手摺り取付金具５Ａと同様に、補助手摺り４を、支柱１ａの下端部側にある交差筋交い取付用グラビティロック２５より下方位置に取り付けることができ、それにより枠組足場の足場板３お上面から補助手摺り４までの高さＨａを４００ｍｍ以下にすることが可能であり、またこの取付金具５Ｂを使用することによって、現在使用されている建枠、交差筋交い、補助手摺り、アームロックを改造及び変更することなく、そのまま使用することができ、そして特にこの取付金具５Ｂは、支柱１ａに交差筋交い２を取り付けた後に、この支柱１ａ及び交差筋交い取付用グラビティロック２５に取り付けるようにした、いわゆる後付けタイプの取付金具であって、既に交差筋交い２が取り付けてある交差筋交い取付用グラビティロック２５に簡単に取り付けできるから、補助手摺り４の取付作業が容易となる。
【００１８】
またこの補助手摺り取付金具５Ｂも、請求項１の補助手摺り取付金具５Ａと同じ様に、コ字枠状の金具本体９を支柱１ａに対し枠組足場の足場板長手方向から支柱１ａに嵌合させて取り付けるようになっているから、例えば作業中に作業者が枠組足場の足場板３から落下しそうになって、作業者に繋がれている安全ロープの引張力で補助手摺り４が足場の内向き方向（足場板の長手方向と直交する内向き方向）に引っ張られる状態となっても、金具本体９が支柱１ａから外れることがなく、作業者の安全が確保される。
【００１９】
請求項３に係る発明によれば、補助手摺り取付金具５Ａ，５Ｂを支柱１ａに対し固定することができるから、補助手摺り４の取付作業が容易となる。
【図面の簡単な説明】
【００２０】
【図１】本発明に係る補助手摺り取付金具の取付状態を概略示す枠組足場の正面図である。
【図２】(a) は補助手摺り取付金具の一実施形態の取付状態を示す拡大正面図、(b) はその拡大側面図である。
【図３】図２に示す補助手摺り取付金具の取付状態を示す拡大斜視図である。
【図４】(a) は同上の補助手摺り取付金具を示す斜視図、(b) は正面図、(c) は側面図、(d) は平面図である。
【図５】支柱に対する補助手摺り取付金具の取付方法を示す説明図である。
【図６】補助手摺り取付金具の金具本体に設けられる固定用板バネの他の実施形態を示すもので、(a) は取付金具の正面図、(b) は側面図、(c) は平面図である。
【図７】本発明に係る補助手摺り取付金具の他の実施形態の取付状態を示す拡大斜視図である。
【図８】(a) は図７に示す補助手摺り取付金具の斜視図、(b) は正面図、(c) は側面図、(d) は平面図である。
【図９】(a) は従来の枠組足場の交差筋交いに補助手摺りを取り付けた状態を示す斜視図、(b) は同状態の正面図である。
【図１０】(a) は交差筋交い取付用グラビティロックを示す側面図、(b) は同グラビティロックに交差筋交いの筋交い材端部、アームロックの端部及び補助手摺りの端部を仮に挿着した場合の挿着状態を示す説明図である。
【図１１】アームロックの取付状態を説明する説明図である。
【発明を実施するための形態】
【００２１】
以下に本発明の実施形態を図面に基づき説明すると、図１は本発明に係る補助手摺り取付金具５Ａ（及び後述する補助手摺り取付金具５Ｂ）の取付状態を概略示し、図２の(a) は本発明の一実施形態による補助手摺り取付金具５Ａの取付状態を正面側から見た図面、(b) はその拡大側面図であり、また図３は図２の補助手摺り取付金具５Ａの取付状態を斜視図で示したものである。
【００２２】
補助手摺り取付金具５Ａは、図４の(a) 〜(d) から分かるように、鋼板材をプレス加工したもので、前板部６と後板部７と前後板部６，７をつなぐ側板部２７とで建枠１の支柱１ａに嵌合する平面視コ字枠状に形成されると共に、前板部６の上部に吊り板部８が一体に連設されてなる金具本体９を有する。この金具本体９には吊り板部８の上端部に、汎用されている建枠１の支柱１ａに設けられた交差筋交い取付用グラビティロック２５に挿通するピン孔１０が設けられ、前板部６には、補助手摺り４の端部４ａに設けたピン孔１２を挿通させる補助手摺り取付用グラビティロック１１が前板部６前面に対し垂直に突設されている。
【００２３】
補助手摺り取付用グラビティロック１１は、構造的及び寸法的に図１０に示す交差筋交い取付用グラビティロック２５と同様のもので、図４に示すように、ピン１１ａを前板部６の前面に直角に配して溶接により固着し、このピン１１ａの先端側には割溝１１ｃを設け、この割溝１１ｃ内にロック片１１ｂの一端部側を枢軸１１ｄによって枢着し、常時は図４の(a) ，(c) に示すように自重によりピン１１ａと垂直な姿勢に保持され、補助手摺り４の端部４ａに設けたピン孔１２を挿通させる時は、ロック片１１ｂを手で水平姿勢に回動させるようになっている。またピン１１ａは、その基端部を前板部６に設けた取付孔６ａに挿入して溶接することにより固着される。尚、交差筋交い取付用グラビティロック２５は、図４の(c) に仮想線で示すように、ピン２５ａの先端側側面から出没するロック片２５ｂを、ピン２５ａの内部に設けたバネ（図示せず）によって常時突出する状態に取り付けたタイプのものもある。
【００２４】
また、金具本体９を形成する前板部６、後板部７及び側板部２７にはその内周側に、金具本体９を建枠１の支柱１ａに固定するための固定用板バネ１３が取り付けられている。この板バネ１３は、図４の(d) から分かるように、基板部１３ｏと、支柱１ａの外周面を弾接抱持する両側一対の湾曲状抱持部１３ａ，１３ａとで平面視コ字状に形成されたもので、基板部１３ｏを金具本体９の側板部２７の内側にリベット１４にて取り付け、湾曲状抱持部１３ａ，１３ａが前板部６と後板部７の夫々内側面に近接するようにしたもので、金具本体９を支柱１ａに嵌合させた時に両湾曲状抱持部１３ａ，１３ａが支柱１ａの前後両側面部に弾接抱持して金具本体９を支柱１ａに固定させるようになっている。
【００２５】
上記のように構成される補助手摺り取付金具５Ａを使用して補助手摺り４を建枠１の支柱１ａに取り付けるには、交差筋交い２を支柱１ａに取り付ける前に、この補助手摺り取付金具５Ａを支柱１ａに取り付けておく。即ち、図５に示すように、金具本体９の吊り板部８に設けてあるピン孔１０を支柱１ａの下端側交差筋交い取付用グラビティロック２５に挿通させて、金具本体９を同図の実線で示すように水平横向きにした状態から、グラビティロック２５を中心に金具本体９を下向きに旋回させることにより、金具本体９の前板部６及び側板部２７からなるコ字枠状部が、同図の仮想線図示のように支柱１ａに対してその側方から（枠組足場の足場板３長手方向から）嵌合されると共に、固定用板バネ１３によって支柱１ａに固定される。金具本体９を支柱１ａから取り外す時は、仮想線図示の状態から金具本体９を上向きに旋回させて、吊り板部８をグラビティロック２５から引き抜けばよい。
【００２６】
この後、両交差筋交い２，２の筋交い材２ａ，２ａの端部２ａｏ，２ａｏを夫々のピン孔２０を介して支柱１ａの上下各端部側の交差筋交い取付用グラビティロック２５に挿通させ、更に下端部側の交差筋交い取付用グラビティロック２５にアームロック２６の上端部のピン孔（図示省略）を挿通させて、図２の(a) ，(b) に示すような状態とし、そして取付金具５Ａの補助手摺り取付用グラビティロック１１には、両補助手摺り４，４の端部４ａ，４ａを夫々のピン孔１２を介して挿通させることにより、補助手摺り４を隣り合う支柱１ａ，１ａ間に水平に架け渡し、図１、図２の(a) ，(b) に示すような状態とする。この場合、補助手摺り取付用グラビティロック１１は、構造的にも寸法的にも在来の交差筋交い取付用グラビティロック２５と同様のものであるから、図２の(b) から分かるように両補助手摺り４，４の端部４ａ，４ａを十分余裕をもって挿着することができる。尚、図３には、アームロック２６の取付状態の図示を省略している。
【００２７】
上記のように、補助手摺り取付金具５Ａは、支柱１ａの下端側交差筋交い取付用グラビティロック２５に金具本体９の吊り板部８を介して吊り下げた状態で取り付けるようにしたもので、この取付金具５Ａの補助手摺り取付用グラビティロック１１に両補助手摺り４，４の端部４ａ，４ａをそのピン孔１２，１２を介して挿通させることにより、補助手摺り４を隣り合う支柱１ａ，１ａ間に水平に架け渡すようになっているから、補助手摺り４を、支柱１ａの下端部側にある交差筋交い取付用グラビティロック２５よりも下方位置に取り付けることができ、それにより枠組足場の足場板３上面から補助手摺り４までの高さＨａを４００ｍｍ以下にすることが可能となる。
【００２８】
即ち、この場合、図１から分かるように、足場板３の上面から、交差筋交い２の筋交い材２ａの下端止着部である支柱１ａの下端側交差筋交い取付用グラビティロック２５までの高さｈが３２９ｍｍであるから、この補助手摺り４の足場板３上面からの高さＨａは、グラビティロック２５の高さｈより例えば５０〜６０ｍｍ低い、２７０〜２８０ｍｍ程度となり、４００ｍｍ以下という、労働安全衛生法に基づく新しい安全基準高さＨｓに適合することができる。また、このような補助手摺り取付金具５Ａを使用することによって、現在国内で使用されている建枠、交差筋交い、補助手摺り、アームロックを改造・変更することなくして、これらをそのまま使用することができる。
【００２９】
そしてまた、この補助手摺り取付金具５Ａは、コ字枠状の金具本体９を支柱１ａに対しその左右何れかの側方から嵌合させる、つまり枠組足場の足場板長手方向に沿った方向から金具本体９を支柱１ａに嵌合させて取り付けるようになっているから、例えば作業中に作業者が枠組足場の足場板３から落下しそうになって、作業者に繋がれている安全ロープの引張力で補助手摺り４が足場の内き方向（足場板の長手方向と直交する内向き方向）に引っ張られる状態となっても、金具本体９が支柱１ａから外れることがなく、従って補助手摺り４は外れず、作業者の安全が確保される。因みに、コ字枠状の金具本体９が支柱１ａに対して足場板長手方向と直交する方向、特に足場板の内から外へ向かう方向に嵌合させるようになっておれば、上記のような事態が発生した場合は金具本体９が支柱１ａから外れ、それにより補助手摺りが外れる危険性がある。
【００３０】
図６は補助手摺り取付金具５Ａの金具本体９に設けられる固定用板バネ１３の他の実施形態を示し、(a) は取付金具５Ａの正面図、(b) は側面図、(c) は平面図であって、この実施形態では、２つに分割された固定用板バネ１３，１３からなるもので、一方のバネ１３は、その基端部を前板部６の外側面部にリベット１４で取り付けと共に、先端側に形成した湾曲状の抱持部１３ａを前板部６に設けた窓部６ａから前板部６の内側に突入させ、他方のバネ１３は、その基端部を後板部７の外側面部にリベット１４で取り付けと共に、先端側に形成した湾曲状抱持部１３ａを後板部７に設けた窓部７ａから後板部７の内側に突入させ、金具本体９を支柱１ａの嵌合させた時に両側の湾曲状抱持部１３ａ，１３ａが支柱１ａの両側面部を弾接抱持して、金具本体９を固定する。
【００３１】
図３〜図６によって説明した補助手摺り取付金具５Ａは、交差筋交い２を建枠１の支柱１ａに取り付ける前に、交差筋交い取付用グラビティロック２５を介して支柱１ａに予め取り付けておくことのできる、いわゆる先付けタイプの取付金具である。
【００３２】
図７及び図８には、支柱１ａの交差筋交い取付用グラビティロック２５に交差筋交い２を取り付けた後に、この交差筋交い取付用グラビティロック２５を介して支柱１ａに取り付けるようにした、いわゆる後付けタイプの補助手摺り取付金具５Ｂを示している。
【００３３】
この補助手摺り取付金具５Ｂは、前記補助手摺り取付金具５Ａとほとんど同様な構造であって、図８の(a) 〜(d) に示すように、前板部６と後板部７と前後板部６，７をつなぐ側板部２７とで建枠１の支柱１ａに嵌合するコ字枠状に形成されると共に、前板部６の上部に吊り板部８が一体に連設されてなる金具本体９を有し、この金具本体９には吊り板部８の中央部に、建枠１の支柱１ａに設けられた交差筋交い取付用グラビティロック２５に挿通するピン孔１０が設けられ、前板部６には、補助手摺り４の端部４ａに設けられたピン孔１２を挿通させる補助手摺り取付用グラビティロック１１が前板部６の前面に対し垂直に突設され、そして吊り板部８の上端部及び前板部６の下端部には、前記支柱１ａの前面に支持させて吊り板部８及び前板部６を支柱１ａの前面から所要高さ浮かすための脚部１５，１６が設け内向きに直角に突設されている。
【００３４】
図８の(c) に示すように、脚部１５，１６を支柱１ａの前面に支持させた状態での支柱１ａ側面からの吊り板部８及び前板部６の浮かし高さｎは、交差筋交い取付用グラビティロック２５に挿着される交差筋交い２の筋交い材２ａの端部厚みの２倍より少し大きく、筋交い材２ａの端部厚みを５ｍｍとした場合には、１２ｍｍ程度とされる。金具本体９の前板部６に突設される補助手摺り取付用グラビティロック１１は、前記補助手摺り取付金具５Ａと同じである。
【００３５】
また図８の(d) から分かるように、金具本体９の内側には、金具本体９を建枠１の支柱１ａに固定するための固定用板バネ１３が取り付けられている。この板バネ１３は平面視略コ字状に形成したもので、基板部１３ｏをリベット１４で前板部６の内側面に取り付けて、両側一対の湾曲状抱持部１３ａ，１３ａを支柱１ａの外周面部に弾接抱持させることにより、金具本体９を支柱１ａに固定するようにしている。
【００３６】
上記のように構成される補助手摺り取付金具５Ｂは、建枠１の支柱１ａに交差筋交い２を取り付けた後に、この支柱１ａに取り付けて使用する。即ち、図９に示すように、交差筋交い２の筋交い材２ａ，２ａが取り付けられた支柱１ａの下端部側交差筋交い取付用グラビティロック２５に、金具本体９の吊り板部８に設けてあるピン孔１０を挿通させて、取付金具５Ｂを正面から見て斜めに傾けた状態で、金具本体９の前板部６と後板部７と側板部２７とからなるコ字枠部を、枠組足場の足場板３長手方向から支柱１ａに嵌合させ、固定用板バネ１３によって支柱１ａに固定させる。
【００３７】
そして、図７には図示を省略するが、吊り板部８のピン孔１０から突出している交差筋交い取付用グラビティロック２５の先端部側にアームロック２６の上端部のピン孔（図示省略）を挿通させ、アームロック２６の下端部のピン孔は、図９に示すように下段側支柱１ａの上端部と上段側支柱１ａの下端部とを貫通する連結ピン３０に挿着する。
【００３８】
この後、補助手摺り取付金具５Ｂの補助手摺り取付用グラビティロック１１には、図７に示すように両補助手摺り４，４の端部４ａ，４ａを夫々のピン孔１２を介して挿通させることにより、補助手摺り４を隣り合う支柱１ａ，１ａ間に水平に架け渡すことにより、前記補助手摺り取付金具５Ａの場合と同様に図１に示すような状態となる。
【符号の説明】
【００３９】
１            建枠
１ａ          支柱
２            交差筋交い
２ａ          筋交い材
３            足場板
４            補助手摺り
５Ａ，５Ｂ    補助手摺り取付金具
６            金具本体の前板部
７            金具本体の後板部
８            金具本体の吊り板部
９            金具本体
１０          吊り板部のピン孔
１１          補助手摺り取付用グラビティロック
１３          固定用板バネ
２０          
２５          交差筋交い取付用グラビティロック
２７          金具本体の側板部
【図１】
2010242404.tif 000003
【図２】
2010242404.tif 000004
【図３】
2010242404.tif 000005
【図４】
2010242404.tif 000006
【図５】
2010242404.tif 000007
【図６】
2010242404.tif 000008
【図７】
2010242404.tif 000009
【図８】
2010242404.tif 000010
【図９】
2010242404.tif 000011
【図１０】
2010242404.tif 000012
【図１１】
2010242404.tif 000013